(57)【要約】      （修正有）【課題】食パンの耳部が切り落とされると同時に、サンドウィッチの周辺が挟圧され接着し閉じられることにより、袋綴じ状態の具の露出がないので食べやすいサンドウィッチを容易に誰でもが作れる、構造が簡単なサンドウィッチパックメーカーを提供する。【解決手段】２枚の食パンと具を用いてサンドウィッチを作るメーカーであって、平板状の基板１と、該基板１の片面に立設したリブ状で特徴図形の環状の頂面２ａを有する押圧片２と、該押圧片２の頂面２ａの外周に突設した切断片２ｂと、を備えて、上記のサンドウィッチメーカーを構成する。【選択図】図１
0003151423.tif 000002
【実用新案登録請求の範囲】
【請求項１】
２枚の食パンと具を用いてサンドウィッチを作るメーカーであって、平板状の基板と、該基板の片面に立設したリブ状で特徴図形の環状の頂面を有する押圧片と、該押圧片の頂面の外周に突設した切断片と、を備えたことを特徴とするサンドウィッチメーカー。
【請求項２】
前記押圧片の内側の基板を切除して特徴図形穴を開口させたことを特徴とする請求項１に記載のサンドウィッチメーカー。
【考案の詳細な説明】
【技術分野】
【０００１】
本考案は、２枚の食パンと具を用いてサンドウィッチを作るメーカーに関するものであり、更に詳細には、手作りでは容易に作ることができない、花びら形や、星形、ハート形、円形等の特徴図形に外形を形成でき、且つ、周辺を袋綴じ状態とするサンドウィッチを各家庭で容易に作ることを可能としたメーカーに関するものである。
【背景技術】
【０００２】
従来、この種のサンドウィッチを家庭で作る場合は、一枚の食パンの上にハムやチーズ、卵、野菜等の具を置いて、その上にもう一枚の食パンを置いて軽く押さえていたが、具の厚みにより２枚の食パンの周辺の間は隙間が空いたままで、具が露出しており食べる時に注意をしないと食パンの間から具が落ちたりするもので、また、形も矩形のままや、斜めに切った三角形状だけのもので、何の変哲もないものであった。
【０００３】
その為に、先に開示されているものは、パン圧着成型器１００は、第一の容器１１０と、第二の容器１２０と、相互に所定の位置関係になるように第一の容器と第二の容器とを重ね合わせる位置決め手段１１２、１２２と、からなる。第一の容器の底面１１１からは、一定の閉じた領域を囲む外壁１１３が直立しており、第二の容器の底面１２１からは、前記領域と同一形状の領域を囲む外壁１２３が直立している。第二の容器と第一の容器とを相互に重ね合わせたときには、位置決め手段により、第一の容器の外壁の頂部と第二の容器の外壁の頂部とは相互に接触し合い、双方の間に挟まれたパンが裁断されるもの（特許文献１参照）や、下端開口縁を抜き刃部１ａに形成されたパンＷや食材Ｍを型抜き可能な型抜き筒体１と、型抜き筒体の上端開口縁に嵌着された蓋体２と、蓋体に摺動自在に挿通されたピストン心棒３と、型抜き筒体内を摺動自在にしてピストン心棒の下端部に設けられた押下板４と、ピストン心棒の上端部に設けられた押下摘子５とからなるもの（特許文献２参照）や、２枚の食パンａを重ねて載置するトレイ２には、所定の形状の抜き型３が着脱可能に配置され、上記抜き型３は中央に開口部４０が形成され、該開口部４０の外側には成型枠４１が周設され、該成型枠４１の端面の外周側には切断部４１ａが、内周側には押圧部４１ｂが形成され、上記トレイ２の前端にトレイ２上に載せた食パンａの一部を押さえる、押さえ板３３を回動可能に設け、上記玩具本体には、上記トレイ２を玩具本体の入口から出口まで搬送する搬送機構Ａが設けられ、該搬送機構Ａは上記トレイ２上の食パンａをトレイ２の搬送中に上記抜き型３に押し付ける押し付け部材１５を備えたもの（特許文献３参照）等が開示されている。
【特許文献１】実用新案登録第３１４６６００号公報
【特許文献２】特開平８−２４３０３５号公報
【特許文献３】特開２００６−６４４６号公報
【考案の開示】
【考案が解決しようとする課題】
【０００４】
然し乍ら、前述の開示されている特許文献１では、パンを圧着成型するもので、二つの容器を重ね合わすことにより、具の周囲のパンが切断されると共に押さえられ閉じた状態と成るものであるが、構造が複雑で、サンドウィッチと言うよりもおむすび形状に仕上がるもので、何の変哲もないものであり、更に、特許文献２では、形態的に変化に富んだサンドウィッチを提供するものであるが、パンの型抜き器であって、周辺からは中の具が露出しており、食す時に注意を必要とするものであり、特許文献３では、同様に具の周辺が閉じて図形状のサンドウィッチができるものであるが、構造が複雑で高価なものとなるものである。
【課題を解決するための手段】
【０００５】
本考案は前記課題に鑑み、鋭意研鑽の結果、これらの課題を解決するもので、食パンを用いてサンドウィッチを作るメーカーであって、平板状の基板と、基板の片面に立設したリブ状で特徴図形の環状の頂面を有する押圧片と、押圧片の頂面の外周に突設した切断片と、を備えたものである。
【考案の効果】
【０００６】
前述の如く構成した本考案のサンドウィッチメーカーは、平板状の基板と、基板の片面に立設したリブ状で特徴図形の環状の頂面を有する押圧片と、押圧片の頂面の外周に突設した切断片と、を備えた簡易な構造で、食パンの外周部が切り落とされると同時に、サンドウィッチの周辺が挟圧され接着し閉じられることにより、袋綴じ状態の具の露出がないもので食べやすいサンドウィッチを容易に誰でもが作ることを可能としたもので、画期的で実用性の高い有効な考案である。
【考案を実施するための最良の形態】
【０００７】
以下、本考案のサンドウィッチメーカーの実施の形態を図面によって具体的に説明すると、図１は本考案のサンドウィッチメーカーの実施例の平面図であり、図２は本考案のサンドウィッチメーカーの実施例の断面説明図である。
【０００８】
本考案は、２枚の食パンと具を用いてサンドウィッチを作るメーカーに関するものであり、更に詳細には、手作りでは容易に作ることができない、花びら形や、星形、ハート形、円形等の特徴図形に外形を形成でき、且つ、周辺を袋綴じ状態とするサンドウィッチを各家庭で容易に作ることを可能としたメーカーに関するものであり、２枚の食パンと具を用いてサンドウィッチを作るメーカーであって、平板状の基板１と、該基板１の片面に立設したリブ状で特徴図形の環状の頂面２ａを有する押圧片２と、該押圧片２の頂面２ａの外周に突設した切断片２ｂと、を備えたことを特徴とするものである。
【実施例】
【０００９】
本考案のサンドウィッチメーカーで作るサンドウィッチは、市販されている食パンを用いるもので、一般的には一枚の食パンは１２０ｍｍ×１３０ｍｍのもので、厚みは５〜１０ｍｍ程度のものであり、間に挟む具はハム、卵、チーズ等一般的にサンドウィッチに使用できる具で有れば何でも構わないものである。
【００１０】
そして、基板１は、平板状のもので、把持できる程度の鍔部を有していれば構わないものであるが、食パンと略同形状の矩形状に形成すると位置合わせが容易にできて好適なものである。
【００１１】
次に、押圧片２は、基板１の片面に立設したリブ状で頂面２ａが特徴図形の環状のものであり、特徴図形の環状に囲まれた内部のスペースは後述する出来上がりのサンドウィッチが収容される高さ有する帯状のもので、特徴図形の頂面２ａは、花びら形や、星の形、ハート形、円形等のことで、包丁やナイフでは切り出せない任意な形のものである。
【００１２】
次いで、切断片２ｂは、押圧片２の特徴図形の頂面２ａの外周に突設したものであり、つまり、切断片２ｂは食パンの外周辺を特徴図形に切断するものである。
【００１３】
更に、特徴図形の頂面２ａを有する押圧片２の内側の基板１を切除して特徴図形穴を開口させたもので、上方から切断する位置を目視しながらサンドウィッチを作れるものである。
【００１４】
本考案のサンドウィッチメーカーの使用方法は、先ず、平坦なまな板のような面の上に一枚目の食パンを載置して、次いで、一枚の食パンの上に適当な具を載置して、その上から、もう一枚の食パンを載置して、基板１を上方から被せて押圧するものである。
【００１５】
そうすると、押圧片２の頂面２ａの外周に突設した切断片２ｂが食パンと接触し、更に、押圧することにより切断片２ｂにより、２枚の食パンの外周辺を切断すると同時に、押圧片２の頂面２ａにより、具を挟んだ状態の２枚の食パンの外周辺を挟圧して接着するものである。
【００１６】
そして、基板１を取り外すと、特徴図形に形成されている押圧片２の切断片２ｂで切断されたサンドウィッチは外形が特徴図形と成り、その外周辺は押圧片２の頂面２ａと下方の平面との間で挟圧により接着されているサンドウィッチができるものである。
【産業上の利用可能性】
【００１７】
本考案のサンドウィッチメーカーは、平板状の基板と、基板の片面に立設した特徴図形の押圧片と、押圧片の頂面の外周に突設した切断片と、を備えた簡易な構造で、食パンの耳部が切り落とされると同時に、サンドウィッチの周辺が挟圧され接着し閉じられることにより、袋綴じ状態の具の露出がないもので食べやすいサンドウィッチを容易に誰でもが作ることを可能としたサンドウィッチパックメーカーの提供である。
【図面の簡単な説明】
【００１８】
【図１】図１は本考案のサンドウィッチメーカーの実施例の平面図である。
【図２】図２は本考案のサンドウィッチメーカーの実施例の断面説明図である。
【符号の説明】
【００１９】
１      基板
２      押圧片
２ａ    頂面
２ｂ    切断片
【図１】
0003151423.tif 000003
【図２】
0003151423.tif 000004
【手続補正書】
【提出日】平成21年4月10日(2009.4.10)
【手続補正１】
【補正対象書類名】実用新案登録請求の範囲
【補正対象項目名】全文
【補正方法】変更
【補正の内容】
【実用新案登録請求の範囲】
【請求項１】
２枚の食パンと具を用いてサンドウィッチを作るメーカーであって、平板状の基板と、該基板の片面に立設したリブ状で所定形状の図形の環状の頂面を有する押圧片と、該押圧片の頂面の外周に突設した切断片と、を備えたことを特徴とするサンドウィッチメーカー。
【請求項２】
前記押圧片の内側の基板を切除して前記所定形状の穴を開口させたことを特徴とする請求項１に記載のサンドウィッチメーカー。
【手続補正２】
【補正対象書類名】明細書
【補正対象項目名】０００１
【補正方法】変更
【補正の内容】
【０００１】  本考案は、２枚の食パンと具を用いてサンドウィッチを作るメーカーに関するものであり、更に詳細には、手作りでは容易に作ることができない、花びら形や、星形、ハート形、円形等の所定形状の図形に外形を形成でき、且つ、周辺を袋綴じ状態とするサンドウィッチを各家庭で容易に作ることを可能としたメーカーに関するものである。
【手続補正３】
【補正対象書類名】明細書
【補正対象項目名】０００５
【補正方法】変更
【補正の内容】
【０００５】  本考案は前記課題に鑑み、鋭意研鑽の結果、これらの課題を解決するもので、食パンを用いてサンドウィッチを作るメーカーであって、平板状の基板と、基板の片面に立設したリブ状で所定形状の図形の環状の頂面を有する押圧片と、押圧片の頂面の外周に突設した切断片と、を備えたものである。
【手続補正４】
【補正対象書類名】明細書
【補正対象項目名】０００６
【補正方法】変更
【補正の内容】
【０００６】  前述の如く構成した本考案のサンドウィッチメーカーは、平板状の基板と、基板の片面に立設したリブ状で所定形状の図形の環状の頂面を有する押圧片と、押圧片の頂面の外周に突設した切断片と、を備えた簡易な構造で、食パンの外周部が切り落とされると同時に、サンドウィッチの周辺が挟圧され接着し閉じられることにより、袋綴じ状態の具の露出がないもので食べやすいサンドウィッチを容易に誰でもが作ることを可能としたもので、画期的で実用性の高い有効な考案である。
【手続補正５】
【補正対象書類名】明細書
【補正対象項目名】０００８
【補正方法】変更
【補正の内容】
【０００８】  本考案は、２枚の食パンと具を用いてサンドウィッチを作るメーカーに関するものであり、更に詳細には、手作りでは容易に作ることができない、花びら形や、星形、ハート形、円形等の所定形状の図形に外形を形成でき、且つ、周辺を袋綴じ状態とするサンドウィッチを各家庭で容易に作ることを可能としたメーカーに関するものであり、２枚の食パンと具を用いてサンドウィッチを作るメーカーであって、平板状の基板１と、該基板１の片面に立設したリブ状で所定形状の図形の環状の頂面２ａを有する押圧片２と、該押圧片２の頂面２ａの外周に突設した切断片２ｂと、を備えたことを特徴とするものである。
【手続補正６】
【補正対象書類名】明細書
【補正対象項目名】００１２
【補正方法】変更
【補正の内容】
【００１２】  次に、押圧片２は、基板１の片面に立設したリブ状で頂面２ａが所定形状の図形の環状のものであり、所定形状の図形の環状に囲まれた内部のスペースは後述する出来上がりのサンドウィッチが収容される高さ有する帯状のもので、所定形状の図形の頂面２ａは、花びら形や、星の形、ハート形、円形等のことで、包丁やナイフでは切り出せない任意な形のものである。
【手続補正７】
【補正対象書類名】明細書
【補正対象項目名】００１３
【補正方法】変更
【補正の内容】
【００１３】  次いで、切断片２ｂは、押圧片２の所定形状の図形の頂面２ａの外周に突設したものであり、つまり、切断片２ｂは食パンの外周辺を所定形状の図形に切断するものである。
【手続補正８】
【補正対象書類名】明細書
【補正対象項目名】００１４
【補正方法】変更
【補正の内容】
【００１４】  更に、所定形状の図形の頂面２ａを有する押圧片２の内側の基板１を切除して所定形状の穴を開口させたもので、上方から切断する位置を目視しながらサンドウィッチを作れるものである。
【手続補正９】
【補正対象書類名】明細書
【補正対象項目名】００１７
【補正方法】変更
【補正の内容】
【００１７】  そして、基板１を取り外すと、所定形状の図形に形成されている押圧片２の切断片２ｂで切断されたサンドウィッチは外形が所定形状の図形と成り、その外周辺は押圧片２の頂面２ａと下方の平面との間で挟圧により接着されているサンドウィッチができるものである。
【手続補正１０】
【補正対象書類名】明細書
【補正対象項目名】００１８
【補正方法】変更
【補正の内容】
【００１８】  本考案のサンドウィッチメーカーは、平板状の基板と、基板の片面に立設した所定形状の図形の押圧片と、押圧片の頂面の外周に突設した切断片と、を備えた簡易な構造で、食パンの耳部が切り落とされると同時に、サンドウィッチの周辺が挟圧され接着し閉じられることにより、袋綴じ状態の具の露出がないもので食べやすいサンドウィッチを容易に誰でもが作ることを可能としたサンドウィッチパックメーカーの提供である。